(57)【要約】      （修正有）【課題】絵画等が描かれたキャンバスをネジを使用せずに、ワンタッチで額縁に取り付けたり取り外すことが可能な着脱式パネル取り付け装置を提供する。【解決手段】間隔を空けて平行に設けられた２本の取り付け部材１３、１４を有するキャンバス３を第１額縁１の取り付け面に接着剤等で固着した台座４に着脱可能に取り付けるもので、台座４に所定の間隔を空けて平行に固着された第１の支持部材５およびガイド部材７と、該ガイド部材と離間して配置され台座面に沿ってガイド部材５の方向にスライド可能な第２の支持部材６と、第２の支持部材６をガイド部材７に対して離れる方向に付勢するバネ部材１１とを備え、キャンバス３の２本の取り付け部材１３、１４を、バネ部材のバネ力に抗して第１の支持部材５と第２の支持部材６に当接させることにより、キャンバスを台座に取り付けるようにした。【選択図】図１
2020039839.tif 000002
【特許請求の範囲】
【請求項１】
絵画、写真等が表示され、間隔を空けて平行して設けられた２本の取り付け部材を有するパネルを台座に着脱可能に取り付けるものであって、
前記台座のパネル取り付け面側に所定の間隔を空けて平行的に固着された第１の支持部材およびガイド部材と、該ガイド部材と離間して配置され、前記台座面に沿って該ガイド部材方向にスライド可能な第２の支持部材と、前記第２の支持部材を常時は前記ガイド部材に対して離れる方向に付勢するバネ部材とを具え、前記パネルの前記２本の取り付け部材を、前記バネ部材のバネ力に抗して前記第１の支持部材と前記第２の支持部材に当接させることにより、パネルを台座に取り付けるようにしたことを特徴とする着脱式パネル取り付け装置。
【請求項２】
絵画、写真等が表示されたパネルを、間隔を空けて平行して設けられた２本の取り付け部材を有する台座に着脱可能に取り付けるものであって、
前記パネルの台座取り付け面側に固着されたガイド部材と、
前記ガイド部材と離間して配置され、前記パネルの台座取り付け面側に沿って該ガイド部材方向にスライド可能な支持部材と、
前記支持部材を常時は前記ガイド部材に対して離れる方向に付勢するバネ部材とを具え、前記パネルの前記ガイド部材と前記支持部材を、前記バネ部材のバネ力に抗して前記台座の前記２本の取り付け部材に当接させることにより、パネルを台座に取り付けるようにしたことを特徴とする着脱式パネル取り付け装置。
【発明の詳細な説明】
【技術分野】
【０００１】  この発明は、絵画、写真、ポスター、広告、メニュー表などが表示されたパネルを、パネル取り付け用台座にワンタッチで取り付け、取り外しができるようにした着脱式パネル取り付け装置に関するものである。
【背景技術】
【０００２】  従来、絵画が描かれたキャンバスを、額縁などに取り付けるためには、ネジを使用してキャンバスに穴を開けて固定していた。
【発明の概要】
【発明が解決しようとする課題】
【０００３】  上述した従来の取り付け装置には次のような欠点があった。
額縁にキャンバスを固定するとき、ネジを使うため、簡単には取り外しができなかった。またキャンバスが損傷する恐れがあった。
本発明は、以上のような欠点をなくし、極めて容易にワンタッチでパネルを台座に取り付け、取り外すことが可能な着脱式パネル取り付け装置を提供することを目的とする。
【課題を解決するための手段】
【０００４】  上記の目的を達成するために、第１の発明による着脱式パネル取り付け装置は、絵画、写真等が表示され、台座取り付け面側に間隔を空けて平行して設けられた２本の取り付け部材を有するパネルを台座に着脱可能に取り付けるものであって、前記台座のパネル取り付け面側に所定の間隔を空けて平行的に固着された第１の支持部材およびガイド部材と、該ガイド部材と離間して配置され、前記台座面に沿って該ガイド部材方向にスライド可能な第２の支持部材と、前記第２の支部部材を常時は前記ガイド部材に対して離れる方向に付勢するバネ部材とを具え、前記パネルの前記２本の取り付け部材を、前記バネ部材のバネ力に抗して前記第１の支部部材と前期第２の支部部材に当接させることにより、パネルを台座に取り付けるようにしたことを特徴とするものである。
また、第２の発明による着脱式パネル取り付け装置は、絵画、写真等が表示されたパネルを、間隔を空けて並行的に設けられた２本の取り付け部材を有する台座に着脱可能に取り付けるものであって、前記パネルの台座取り付け面側に固着されたガイド部材と、前記ガイド部材と離間して配置され、前記パネルの台座取り付け面側に沿って該ガイド部材方向にスライド可能な支持部材と、前記支持部材を常時は前記ガイド部材に対して離れる方向に付勢するバネ部材とを具え、前記パネルの前記ガイド部材と前記支持部材を、前記バネ部材のバネ力に抗して前記台座の前記２本の取り付け部材に当接させることにより、パネルを台座に取り付けるようにしたことを特徴とするものである。
【発明の効果】
【０００５】  第１の発明では、前記パネルの前記２本の取り付け部材を、前記台座の前記バネ部材のバネ力に抗して前記第１の支持部材と前記第２の支持部材に当接させることにより、パネルを台座に取り付けるようにしたので、従来のように、ネジの取り外しは不要であり、極めて容易にパネルを台座に取り付けたり、取り外したりすることができる。
また第２の発明では、前記パネルの前記ガイド部材と前記支持部材を、前記パネル部材のバネ力に抗して前記台座の前記２本の取り付け部材に当接させることにより、パネルを台座に取り付けるようにしたので、第１の発明と同様に、極めて容易にパネルを台座に取り付けたり、取り外したりすることができる。
【図面の簡単な説明】
【０００６】
【図１】本発明によるパネル取り付け装置を、キャンバスを額縁に取り付ける場合に適用した実施例であって、額縁とキャンバスを分離した状態を示した正面図である。
【図２】上記実施例においての額縁に設けられたアタッチメント部分の分解図である。
【図３】上記実施例においてのキャンバスを額縁に取り付ける際の状態を示す図である。
【図４】上記実施例においてのキャンバスを額縁に取り付けた状態を示す正面図である。
【図５】本発明によるパネル取り付け装置を用いて写真たてを壁に取り付ける場合の実施例であって、写真立てとプレートを分離した状態を示した正面図である。
【図６】図５のアタッチメント部分の分解図である
【発明を実施するための形態】
【０００７】  以下、本発明を実施するための形態について説明する。図１は第１額縁（１）の中に本取り付け装置を配置してキャンバス（３）を第１額縁（１）に取り付ける場合に適応した実施例である。
【０００８】  図１、図２において、第１額縁（１）の中央のキャンバス（３）取り付け面側に木製の台座（４）を接着剤等により固着する。台座（４）のキャンバス（３）の取り付け面に、所定間隔をあけて平行的に木製の第１ガイド板（７）と第１支持板（５）を接着剤などにより固着する。第１ガイド板（７）の中央部分には第１貫通孔（９）が設けられている。図２において、木製の第２支持板（６）の第１軸穴（８）に軸棒（１０）が埋め込まれている。軸棒（１０）にはコイル状の金属製第１バネ（１１）が挿入されている。そして軸棒（１０）に第１バネ（１１）が装着された状態で、軸棒（１０）が第１ガイド板（７）の第１貫通孔（９）にその先端が飛び出した状態で挿入される。この第１ガイド板（７）の第１貫通孔（９）を介して飛び出した軸棒（１０）の先端部分にキャップ（１２）が固着されている。
【０００９】  第２支持板（６）は台座（４）には固定されておらず、第１バネ（１１）のバネ力によって第１ガイド板（７）から離れる方向（図１の下方側）に押されている（付勢されている）。人が第２支持板（６）を第１バネ（１１）のバネ力に抗して、第１ガイド板（７）に近づける方向（図１の上方側）に動かすことにより、第２支持板（６）が台座（４）上をスライド移動する。
キャンバス（３）を取り付ける前の状態における第１支持板（５）の上端側と第２支持板（６）の下端側の間隔Ｘは、取り付けようとするキャンバス（３）の上下の第１横枠（１３）の下端側と第２横枠（１４）の上端側の間隔Ｙよりも広くなるようにしておく。なお、キャンバス（３）の第１横枠（１３）、第２横枠（１４）は本発明における取り付け部材に相当する。本発明は以上のような構成である。
【００１０】上記パネル取り付け装置を使用して第１額縁（１）にキャンバス（３）を取り付ける手順について説明する。
図３に示すように、キャンバス（３）の第２横枠（１４）の内側面を第２支持板（６）の下方側に引っ掛け、その状態でキャンバス（３）を上にスライドする。キャンバス（３）の第１横枠（１３）の内側面を第１支持板（５）の上方外側に引っ掛け、キャンバス（３）の上部を額縁（１）の方に押し込むことにより、第１額縁（１）にはめ込む。これにより、第２支持板（６）が第１バネ（１１）のバネ力によってキャンバス（３）の第２横枠（１４）の内側に密着し、その状態が維持されて、キャンバス（３）が額縁（１）に取り付けられ固定される。
また、キャンバス（３）を第１額縁（１）から取り外す場合は、上記とは逆にキャンバス（３）の第１横枠（１３）の内側面を第１支持板（５）の上方外側から取り外し、その状態でキャンバス（３）を下にスライドする。第１バネ（１１）のバネの力による抵抗がなくなったところで、キャンバス（３）の第２横枠（１４）の内側面を第２支持板（６）の下方側外から取り外す。このようにして、キャンバス（３）を損傷させることなく、第１額縁（１）からワンタッチで取り外しできる。
【００１１】  写真たてを、台座を介して壁などに取り付けるようにした場合の他の実施例を図５、図６を参照して説明する。
図５は第２額縁（１５）のスタンド（１６）が付いた押さえ板（１７）の裏面に取り付け装置を配置し、第２額縁（１５）をプレート（３０）に取り付ける場合に適応した実施例である。なお、押さえ板（１７）の表面には、図４と同様な写真や絵画等が表示されている。
図５、図６において、金属製の第１ネジ（２２）と金属製の第２ネジ（２３）には、プラスチック製の第１パイプ（２４）とプラスチック製の第２パイプ（２５）がそれぞれ挿入されている。そして第１ネジ（２２）と第２ネジ（２３）に第１パイプ（２４）と第２パイプ（２５）が装着された状態で、第１ネジ（２２）と第２ネジ（２３）が第３支持板（１９）の第２貫通孔（２０）と第３貫通孔（２１）に、その先端が飛び出した状態で挿入される。その際、第１ネジ（２２）と第２ネジ（２３）のネジ頭がストッパーとなり、第１ネジ（２２）と第２ネジ（２３）が第３支持板（１９）の第２貫通孔（２０）と第３貫通孔（２１）から抜け外れないようになっている。そして、第１ネジ（２２）と第２ネジ（２３）に第１パイプ（２４）と第２パイプ（２５）が装着された状態で、金属製のコイル状の第２バネ（２６）と金属製コイル状の第３バネ（２７）がそれぞれ挿入されている。第３支持板（１９）の第２貫通孔（２０）と第３貫通孔（２１）を介して飛び出した第１ネジ（２２）と第２ネジ（２３）の先端部分が押さえ板（１７）に固着された第２ガイド板（１８）の第２軸穴（２８）と第３軸穴に差し込まれ、第１ネジ（２２）、第２ネジ（２３）を回すことによって、それらネジ（２２）、（２３）を第２ガイド板（１８）に固定する。
【００１２】  第３支持板（１９）は押さえ板（１７）に固定されておらず、第２バネ（２６）と第３バネ（２７）のバネ力によって第２ガイド板（１８）から離れる方向（図５の上方側）に押されている（付勢されている）。人が第３支持板（１９）を、第２バネ（２６）と第３バネ（２７）のバネ力に抗して、第２ガイド板（１８）に近づける方向（図５の下方側）に動かすことにより、第３支持板（１９）が押さえ板（１７）の上をスライド移動する。台座としてのプレート（３０）に取り付ける前の状態における第３支持板（１９）の上端側と第２ガイド板（１８）の下端側の間隔Ｘは取り付けプレート（３０）の上下の第１取り付け板（３１）の下端側と第２取り付け板（３２）の上端側の間隔Ｙよりも広くなるようにしておく。第１取り付け板（３１）と第２取り付け板（３２）が平行的に固着されているプレート（３０）を壁等に取り付けておくことにより、第２額縁（１５）を壁等に飾ることができる。実施例は以上のような構成である。
【００１３】  この実施例を使用するときは、壁に設置された台座としてのプレート（３０）に第２額縁（１５）を取り付ける場合の手順に付いて説明する。第３支持板（１９）の上方外側をプレート（３０）の第１取り付け板（３１）の内側面に引っ掛けてその状態で第２額縁（１５）を上にスライドする。続いて第２ガイド板（１８）の下方外側をプレート（３０）の第２取り付け板（３２）の内側面に引っ掛け、第２額縁（１５）をプレート（３０）にはめ込む。これにより、第３支持板（１９）が第２バネ（２６）と第３バネ（２７）の力によってプレート（３０）の第１取り付け板（３１）の内側に密着し、その状態が維持されてプレート（３０）に第２額縁（１５）が取り付けられ固定される。第２額縁（１５）をプレート（３０）から取り外す場合は、上記とは逆に第２ガイド板（１８）の下方外側を第２取り付け板（３２）の内側面から取り外し、その状態で第２額縁（１５）を下にスライドする。第２バネ（２６）と第３バネ（２７）のバネによる抵抗がなくなったところで、第３支持板（１９）の上方外側を第１取り付け板（３１）の内側面から取り外す。
【００１４】  この実施例においても、図１、２に示す実施例と同様に、写真や絵画等が表示された第２額縁（１５）を、正面からワンタッチでプレート（３０）から着脱することができる。
ところで、キャンバス（３）には絵画が描かれたり、絵画の代わりに写真やポスター、広告、メニュー表等を貼ることもできる。この場合、ポスター等を表示する場合には、キャンバスとして板状のパネルを使用することができる。板状のパネルを使用する場合には、その裏面にキャンバスの横枠（取り付け部材）に相当する図５の取り付け板３１、３２を設ける必要がある。この発明において、パネルはキャンバスを含むものである。また、図５の実施例において、押さえ板（１７）の表面（図５と反対の面）には、上記と同様に、写真、絵画、ポスターなどを表示することができる。また、台座としてのプレート（３０）を壁に取り付ける代わりに、壁に第１取り付け板（３１）、第２取り付け板（３２）を直接取り付けるようにしても良い。このような場合には、壁が台座となる。パネル、台座としては、木製のものに限らず、プラスチック製、アルミニウム製等であっても良い。同様に支持板、ガイド板なども木製のものに限らず、プラスチック製、アルミニウム製等でもあっても良い。さらに、図１、図２の実施例では、１ケのバネ（１１）を用いるようにしたが、図５、図６の実施例のように、２つのバネ（２６）、（２７）を用いるようにしても良い。同様に、図５、図６の実施例においても、図１、図２の実施例のように、１ケのバネにするようにしても良い。
【符号の説明】
【００１５】  １    第１額縁
２    アタッチメント
３    キャンバス（パネル）
４    台座
５    第１支持板（第１の支持部材）
６    第１支持板（第２の支持部材）
７    第１ガイド板（ガイド部材）
８    第１軸穴
９    第１貫通孔
１０    軸棒
１１    第１コイル状バネ（バネ部材）
１２    キャップ
１３    第１横枠（取り付け部材）
１４    第２横枠（取り付け部材）
１５    第２額縁
１６    スタンド
１７    押さえ板（パネル）
１８    第２ガイド板（ガイド部材）
１９    第３支持板（支持部材）
２０    第２貫通孔
２１    第３貫通孔
２２    第１ネジ
２３    第２ネジ
２４    第１パイプ
２５    第２パイプ
２６    第２コイル状バネ（バネ部材）
２７    第３コイル状バネ（バネ部材）
２８    第２軸穴
２９    第３軸穴
３０    プレート（台座）
３１    第１取り付け板（第１取り付け部材）
３２    第２取り付け板（第２取り付け部材）
【図１】
2020039839.tif 000003
【図２】
2020039839.tif 000004
【図３】
2020039839.tif 000005
【図４】
2020039839.tif 000006
【図５】
2020039839.tif 000007
【図６】
2020039839.tif 000008